(57)【要約】【課題】取付部材を小型化し、製造段階でレンジフードの本体ケースに予め取付部材を適切な取付姿勢で取り付けておくことが可能なレンジフードを提供する。【解決手段】レンジフード１０は、後面３３ａと上面３３ｂと左右側面３３ｃとを有しファン３２が収容される本体ケース３１と、本体ケース３１を壁面Ｗｂに取り付ける取付部材４１とを備え、取付部材４１は、本体ケース３１の後面３３ａ、上面３３ｂ、及び側面３３ｃが互いに突き合わされるコーナー部Ｃにおいて、前記後面３３ａ、前記上面３３ｂ、及び前記側面３３ｃのそれぞれに固定される３つの固定片４５，４６，４４と、壁面Ｗｂに取り付けられる取付片４３とを備えている。【選択図】図２
2018115790.tif 000002
【特許請求の範囲】
【請求項１】
後面と上面と左右側面とを有しかつファンが収容される本体ケースと、前記本体ケースを壁面に取り付けるための取付部材とを備え、
前記取付部材は、前記後面、前記上面、及び前記側面が互いに突き合わされる前記本体ケースのコーナー部において、前記後面、前記上面、及び前記側面のそれぞれに固定される３つの固定片と、前記壁面に取り付けられる取付片とを備えている、レンジフード。
【請求項２】
前記取付片が、３つの固定片のうち少なくとも２つに直接的に接続されている、請求項１に記載のレンジフード。
【請求項３】
前記取付片が、上下方向に長く形成されかつ前記壁面に当接する当接部と、この当接部の左右側部から前方へ屈曲する屈曲部とを備えている、請求項１又は２に記載のレンジフード。
【請求項４】
前記側面に固定される前記固定片が、前記屈曲部から前方に延長されている、請求項３に記載のレンジフード。
【請求項５】
前記取付片が、前記後面の下部側から前記上面を越える上下方向の長さを有しかつ前記壁面に当接する当接部を備え、前記当接部の前記上面を越える部分に、前記壁面に前記取付片を取り付けるための取付具を挿入させる取付孔が形成されている、請求項１〜４のいずれか１項に記載のレンジフード。
【請求項６】
レンジフードにおける、ファンが収容される本体ケースを壁面に取り付けるための取付部材であって、
前記本体ケースの後面、上面、及び側面が互いに突き合わされるコーナー部において、前記後面、前記上面、及び前記側面のそれぞれに固定される３つの固定片と、前記壁面に取り付けられる取付片とを備えている、レンジフードの取付部材。
【発明の詳細な説明】
【技術分野】
【０００１】
この発明は、レンジフード、及びレンジフードの取付部材に関する。
【背景技術】
【０００２】
レンジフードは、調理時にキッチンの加熱調理器より生じる油煙等を屋外へ排出するため、加熱調理器の上方に設置されている。かかるレンジフードとして、天井近傍の壁面に固定して設置される壁面固定型のものが知られている。
例えば、特許文献１に記載されたレンジフードは、ファン等を収容した箱形状の本体ケースの上面にＬ字形状の取付金具の一辺を取り付け、取付金具の他辺を壁面に取り付けることによって壁面に固定されている。
【先行技術文献】
【特許文献】
【０００３】
【特許文献１】特開２０１５−６８５３６号公報
【発明の概要】
【発明が解決しようとする課題】
【０００４】
特許文献１記載の取付金具は、本体ケースの上面のみに取り付けられているので、本体ケースに対する取付強度、支持強度を高めるために当該上面に広い取付面積で取り付ける必要がある。そのため、取付金具が大型化し、レンジフードの製造段階で予め取付金具を取り付けておくことが困難となる。故に、レンジフードの設置現場において本体ケースに取付金具を取り付ける作業が必要となり、設置現場における作業工程が多くなる。また、本体ケースの上面に対する取付金具の取付姿勢を適切に設定できても、本体ケースの他の面（側面、後面等）に対する取付姿勢を適切に設定することが難しく、設置現場での作業であることも相まって、当該他の面に対して取付金具が傾いた状態で取り付けられる可能性が高くなる。
【０００５】
本発明は、取付部材を小型化し、製造段階でレンジフードの本体ケースに予め取付部材を適切な取付姿勢で取り付けておくことが可能なレンジフードを提供することを目的とする。
【課題を解決するための手段】
【０００６】
ある観点に係るレンジフードは、後面と上面と左右側面とを有しかつファンが収容される本体ケースと、前記本体ケースを壁面に取り付けるための取付部材とを備え、
前記取付部材は、前記後面、前記上面、及び前記側面が互いに突き合わされる前記本体ケースのコーナー部において、前記後面、前記上面、及び前記側面のそれぞれに固定される３つの固定片と、前記壁面に取り付けられる取付片とを備えている。
【０００７】
取付部材は、本体ケースのコーナー部における後面、上面、及び側面の３面に固定される３つの固定片を備えているので、本体ケースの１面のみに固定片が取り付けられる場合に比べて各面に対する固定片の取付面積を小さくすることができ、その結果、取付部材自体を小型化することができる。そのため、レンジフードの製造段階で予め本体ケースに取付部材を取り付けておくことが可能となり、レンジフードの設置現場では取付部材を壁面に取り付ける作業のみとすることも可能となる。したがって、レンジフードの施工性を向上させることができる。また、取付部材は、本体ケースのコーナー部における３面に固定されるので、各面に対する取付姿勢を適切に設定することが容易となる。
【０００８】
好ましくは、前記取付片が、３つの固定片のうち少なくとも２つに直接的に接続されている。
この構成によって、本体ケースの３つの面のうち２つの面に取付片を強固に取り付け、取付片を介して本体ケースを壁面に安定した状態で取り付けることができる。
【０００９】
好ましくは、前記取付片が、上下方向に長く形成されかつ前記壁面に当接する当接部と、この当接部の左右側部から前方へ屈曲する屈曲部とを備えている。
この構成によって、取付片の前後方向における曲げ剛性を高めることができ、本体ケースを安定して壁面に取り付けることができる。
【００１０】
好ましくは、前記側面に固定される前記固定片が、前記屈曲部から前方に延長されている。
この構成によって、本体ケースの側面に固定される固定片を取付片の曲げ剛性を高める屈曲部として機能させることができる。
【００１１】
好ましくは、前記取付片が、前記後面の下部側から前記上面を越える上下方向の長さを有しかつ前記壁面に当接する当接部を備え、前記当接部の前記上面を越える部分に、前記壁面に前記取付片を取り付けるための取付具を挿入させる取付孔が形成されている。
この構成によって、取付片の当接部は、本体ケースの上面を超える位置に配置された取付孔の部分で壁面に固定され、取付孔よりも下方の広い範囲で壁面に当接し、当該範囲において壁面が本体ケースの荷重を安定して受けることになる。また、当接部は、上下方向に関して下部ケースに重複する位置に配置されるため、下部ケースの上面からの取付片の突出量を小さくしても十分に壁面に対する接触面積を確保することができる。そのため、上記構成を採用することによって取付部材の小型化を図ることができる。
【００１２】
他の観点に係るレンジフードの取付部材は、レンジフードにおける、ファンが収容される本体ケースを壁面に取り付けるための取付部材であって、
前記本体ケースの後面、上面、及び側面が互いに突き合わされるコーナー部において、前記後面、前記上面、及び前記側面のそれぞれに固定される３つの固定片と、前記壁面に取り付けられる取付片とを備えている。
【発明の効果】
【００１３】
本発明によれば、取付部材を小型化し、製造段階でレンジフードの本体ケースに予め取付部材を取り付けておくことを可能とし、本体ケースに対する取付部材の取付姿勢を適切に設定することができる。
【図面の簡単な説明】
【００１４】
【図１】実施の形態に係るレンジフードを備えたシステムキッチンの正面図である。
【図２】レンジフードの斜視図である。
【図３】レンジフードの側面図である。
【図４】第１の取付部材の側面図である。
【図５】第１の取付部材の平面図である。
【図６】第１の取付部材の背面図である。
【図７】（ａ）は、下部ケースを展開した状態を示す概略的な斜視図であり、（ｂ）は、下部ケースを組み立てた状態を示す概略的な斜視図である。
【発明を実施するための形態】
【００１５】
以下、図面を参照しながら好ましい実施の形態について説明する。
図１は、実施の形態に係るレンジフードを備えたシステムキッチンの正面図である。
レンジフード１０は、例えばキッチンユニット１の一要素として組み込まれる。キッチンユニット１は、対面カウンター２を備えた対面型のキッチンユニットである。かかるキッチンユニット１は、対面カウンター２と、内部に収納空間が形成され、かつ後面にパネルが設けられたキャビネット部３と、前記収納空間の前面に設けられ、かかる収納空間を開閉する扉４と、キャビネット部３の上部に設けられた天板５と、この天板５に設けられたシンク６と、同じく天板５に設けられたガスコンロやＩＨヒーターなどの加熱調理器７と、加熱調理器７の上方に位置するように設けられたレンジフード１０とを備える。
【００１６】
キッチンユニット１は、加熱調理器７側の側面（図中、右側の側面）が側壁Ｗａに接するように設置されている。
また、キッチンユニット１の背面のうち、加熱調理器７の後方に位置する部分には、油等の拡散を防止するとともに、レンジフード１０による排ガスの捕集効率を向上させるべく、背面パネル８が設けられている。
【００１７】
［レンジフード１０の構成］
図２は、レンジフード１０の斜視図である。図１及び図２に示すように、レンジフード１０は、排ガスを捕集するフード１１と、このフード１１の上面に接続されたレンジフード本体１２と、レンジフード本体１２の外側を覆う化粧パネル１３，１４とを有する。
フード１１は、平面視長方形の扁平な板状に形成され、加熱調理器７の上方に配置されている。フード１１は、外周枠２１と、この外周枠２１の内側に設けられた天面プレート２２とを有している。フード１１の下面には、図示しない空気の吸引口が形成されている。
【００１８】
レンジフード本体１２は、本体ケース３１と、この本体ケース３１内に収容されたファン３２等を有する。本体ケース３１は、下部ケース３３と、上部ケース３４とからなる。
【００１９】
下部ケース３３は、下方に開放した略直方体の箱形状に形成されている。上部ケース３４も、下方に開放した略直方体の箱形状に形成されている。下部ケース３３は、上部ケース３４よりも上下方向の高さが低く、左右方向の幅が大きい扁平形状に形成されている。下部ケース３３の前後方向の幅（奥行き）は、上部ケース３４の前後方向の幅と略同じか若干これによりも大きく形成されている。上部ケース３４は、下部ケース３３の左右方向の中間部に配置されている。上部ケース３４の下端は、下部ケース３３の上面３３ｂに接続されている。
【００２０】
上部ケース３４の内部にはファン３２が内蔵されている。ファン３２は、例えばシロッコ形のものが用いられる。下部ケース３３の内部には、ファン３２が吸い込んだ空気を通過させるための空間が形成されている。
フード１１は、下部ケース３３の下端に接続されている。フード１１は、下部ケース３３よりも前方に突出している。また、フード１１は、下部ケース３３よりも若干左右方向の幅が大きく形成されている。
【００２１】
加熱調理器７で発生した油煙等は、フード１１の下面の吸引口から吸引され、下部ケース３３内を通ってファン３２に吸引される。ファン３２に吸引された空気は、上部ケース３４に接続された図示しないダクトを通って屋外へ排出される。
【００２２】
化粧パネル１３，１４は、レンジフード本体１２の前方を覆う前面パネル１３と、レンジフード本体１２の左右側方を覆う側面パネル１４とを有する。本実施の形態では、図１に示すように、レンジフード１０の左右一方側（図１における右側）が、側壁Ｗａに隣接しているため、側面パネル１４は、レンジフード１０の左右他方側（図１における左側）のみに設けられている。ただし、レンジフード１０の左右一方側が側壁Ｗａや吊戸棚等に隣接していない場合には、同側にも側面パネル１４を設けることができる。レンジフード１０の左右両側が側壁Ｗａや吊戸棚等に隣接している場合には、左右両方の側面パネル１４を省略することもできる。
【００２３】
［レンジフード１０の取付構造］
図３は、レンジフード１０の側面図である。レンジフード本体１２は、取付部材４１，４２によって背面側の壁面Ｗｂに取り付けられている。取付部材４１，４２は、本体ケース３１における下部ケース３３を壁面Ｗｂに取り付けるための第１の取付部材４１と、本体ケース３１における上部ケース３４を壁面Ｗｂに取り付けるための第２の取付部材４２とを有している。
【００２４】
第２の取付部材４２は、図１に示すように、上部ケース３４の上面における左右方向の幅全体にわたって設けられている。第２の取付部材４２は、図３に示すように、側面視で略Ｌ字形状に形成され、水平に配置された固定片４２ａと、垂直に配置された取付片４２ｂとを有している。そして、固定片４２ａが上部ケース３４の上面にねじやリベット等の固定具４８により固定され、取付片４２ｂが壁面Ｗｂにねじ等の取付具４９によって固定されている。
【００２５】
図４は、第１の取付部材４１の側面図、図５は、第１の取付部材４１の平面図、図６は、第１の取付部材４１の背面図である。これらの図４〜図６は、いずれも左右一方側（右側）の第１の取付部材４１を示している。左右他方側（左側）の第１の取付部材４１は、左右一方側の第１の取付部材４１と鏡像対称に形成されている以外は同一の構成を有しているため詳細な説明は省略する。
【００２６】
第１の取付部材４１は、下部ケース３３の左右両側における後上端部のコーナー部Ｃに固定されている。また、第１の取付部材４１は、壁面Ｗｂに取り付けられる取付片４３と、下部ケース３３に固定される固定片４４，４５，４６とを有し、金属製の板材を屈曲することによって形成されている。
【００２７】
取付片４３は、当接部５１と、屈曲部５２とを備えている。当接部５１は、上下方向に細長い長方形の板材により構成されている。当接部５１は、図５に示すように、下部ケース３３の後面３３ａの後方に隙間をあけて配置され、壁面Ｗｂに直接的に当接し、当該壁面Ｗｂに取り付けられる。
【００２８】
当接部５１の下端は、図４に示すように、下部ケース３３の下端と略一致する位置に配置されている。当接部５１の上端は、下部ケース３３の上面３３ｂを越えて上方に延び、当該上面３３ｂから上方に突出している。言い換えると、当接部５１は、上下方向に関して下部ケース３３と重複した位置に配置されている。
【００２９】
図６に示すように、当接部５１の上部には、当該当接部５１を壁面Ｗｂに取り付けるためのねじ等の取付具４９を挿入させる取付孔５３が形成されている。この取付孔５３は、取付具４９の頭部を挿通可能な径を有する挿入孔部５３ａと、この挿入孔部５３ａの上縁から上方に向けて形成され、取付具４９の頭部よりも小さい幅を有する落とし込み溝５３ｂとを備えている。
【００３０】
図４及び図５に示すように、屈曲部５２は、当接部５１の左右両側から前方へ向けて屈曲している。この屈曲部５２は、当接部５１の前後方向についての曲げ剛性を高めるリブとして機能している。
【００３１】
固定片４４，４５，４６は、下部ケース３３の側面３３ｃに固定される第１の固定片４４と、下部ケース３３の後面３３ａに固定される第２の固定片４５と、下部ケース３３の上面３３ｂに固定される第３の固定片４６とからなる。
【００３２】
第１の固定片４４は、取付片４３における左右外側に配置された屈曲部５２ａから下部ケース３３の側面３３ｃに沿って更に前方に延びている。第１の固定片４４は、下部ケース３３の上下方向の高さに渡る上下方向の長さを有する。第１の固定片４４の上部と下部とは、ねじやリベット等の固定具４８によって下部ケース３３の側面３３ｃに固定されている。
【００３３】
第２の固定片４５は、図５及び図６に示すように取付片４３における左右内側に配置された屈曲部５２ｂから下部ケース３３の後面３３ａに沿って左右内側へ屈曲している。第２の固定片４５は、下部ケース３３の高さに渡る上下方向の長さを有している。第２の固定片４５の上部と下部とは、ねじやリベット等の固定具４８によって下部ケース３３の後面３３ａに固定されている。
【００３４】
図５に示すように、第３の固定片４６は、第１の固定片４４の上端縁から下部ケース３３の上面３３ｂに沿って、左右方向の内側に屈曲している。第３の固定片４６は、ねじやリベット等の固定具４８によって下部ケース３３の上面３３ｂに固定されている。
【００３５】
以上より、第１の取付部材４１は、下部ケース３３の後面３３ａ、上面３３ｂ、及び側面３３ｃが突き合わされるコーナー部Ｃにおいて、第１〜第３の固定片４４，４５，４６がそれぞれ下部ケース３３の各面３３ｃ，３３ａ，３３ｂに固定される。そのため、固定片が下部ケース３３の一つの面のみに固定される場合に比べて、各面３３ｃ，３３ａ，３３ｂに対する各固定片４４，４５，４６の取付面積を小さく形成することができ、その結果、第１の取付部材４１全体を小型化することができる。
【００３６】
第１の取付部材４１が小型になると、レンジフード１０の製造段階で予め第１の取付部材４１を本体ケース３１に取り付けておくことが可能となる。したがって、レンジフード１０の設置現場においては、第１の取付部材４１を本体ケース３１に固定する作業を省略することができ、予め本体ケース３１に取り付けられた第１の取付部材４１を壁面Ｗｂに取り付ける作業のみを行えばよいので、施工性を向上させることができる。
【００３７】
第１の取付部材４１は、各固定片４４，４５，４６が下部ケース３３のコーナー部Ｃにおける各面３３ｃ，３３ａ，３３ｂに固定されるため、各面３３ｃ，３３ａ，３３ｂに対する第１の取付部材４１の姿勢を適切に設定することができる。また、第１の取付部材４１は、レンジフード１０の製造段階で下部ケース３３に取り付けられるので、レンジフード１０の設置現場で第１の取付部材４１を下部ケース３３に取り付ける場合に比べて、各面３３ｃ，３３ａ，３３ｂに対する取付姿勢を適切に設定することが容易となる。
【００３８】
第１の取付部材４１の取付片４３は、当接部５１の左右両側に前方へ屈曲する屈曲部５２によって曲げ剛性が高められている。そのため、第１の取付部材４１の取付片４３を壁面Ｗｂに取り付けたとき、レンジフード１０の荷重によって取付片４３が前後に撓んでしまうのを防止することができ、本体ケース３１を安定して壁面Ｗｂに取り付けることができる。また、第１の固定片４４は、一方の屈曲部５２から前方に延長されており、実質的に取付片４３を補強するリブとして機能している。そのため、より取付片４３の剛性を高めることが可能となっている。
【００３９】
第１の取付部材４１は、第１及び第２の固定片４４，４５が、取付片４３に直接的に接続された形態となり、第３の固定片４６のみが第１の固定片４４を介して間接的に取付片４３に接続されている。このように、取付片４３が２つの固定片４４，４５に直接的に接続されることによって、より安定した状態で下部ケース３３を壁面Ｗｂに取り付けることができる。
【００４０】
第１の取付部材４１の取付片４３は、下部ケース３３の上面３３ｂを越える部分に取付孔５３が形成され、この取付孔５３よりも下方が、下部ケース３３の高さを超える広い範囲で壁面Ｗｂに当接している。このため、当該範囲において壁面Ｗｂによって本体ケース３１の荷重を受けることができる。また、当接部５１は、上下方向に関して下部ケース３３に重複する位置に配置されているので、下部ケース３３の上面３３ｂからの取付片４３の突出量を小さくしても、十分に壁面Ｗｂに対する接触面積を確保することができ、第１の取付部材４１の一層の小型化を図ることができる。
【００４１】
図７（ａ）は、下部ケース３３を展開した状態を示す概略的な斜視図であり、図７（ｂ）は、下部ケース３３を組み立てた状態を示す斜視図である。下部ケース３３の後面３３ａ、上面３３ｂ、及び側面３３ｃは、一枚の板材を屈曲させることによって形成される。具体的には、一枚の板材のうち、上面３３ｂを構成する部分から、側面３３ｃ及び後面３３ａを構成する部分をそれぞれ下方に屈曲（矢印参照）させることによって形成される。第１の取付部材４１は、下部ケース３３のコーナー部Ｃに取り付けられることによって、直接的に接続されていない側面３３ｃと後面３３ａとを連結する機能を有する。そのため、別途、側面３３ｃと後面３３ａとを連結するための部材を設ける必要が無く、部品点数の低減を図ることができる。また、第１の取付部材４１は、下部ケース３３の後面３３ａと側面３３ｃとの間を外側から覆い、両者の隙間を塞いでいる。そのため、後面３３ａと側面３３ｃとの隙間を塞ぐための部材を別途設ける必要も無い。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
例えば、第１の取付部材４１は、本体ケース３１における上部ケース３４のコーナー部に取り付けられるものであってもよい。また、本体ケース３１は、上部ケース３４と下部ケース３３とで構成されているものに限らず、一つの直方体（又は立方体）の箱形状に形成されたものであってもよい。
【符号の説明】
【００４３】
１０    ：レンジフード
３１    ：本体ケース
３２    ：ファン
３３    ：下部ケース
３３ｃ  ：側面
３３ａ  ：後面
３３ｂ  ：上面
４１    ：第１の取付部材
４３    ：取付片
４４    ：第１の固定片
４５    ：第２の固定片
４６    ：第３の固定片
４９    ：取付具
５１    ：当接部
５２    ：屈曲部
５３    ：取付孔
Ｃ      ：コーナー部
Ｗｂ    ：壁面
【図１】
2018115790.tif 000003
【図２】
2018115790.tif 000004
【図３】
2018115790.tif 000005
【図４】
2018115790.tif 000006
【図５】
2018115790.tif 000007
【図６】
2018115790.tif 000008
【図７】
2018115790.tif 000009